(57)【要約】【課題】電気掃除機の隙間用吸込具を提供する。【解決手段】電気掃除機の隙間用吸込具は隙間用ブラシのケース１、吸込口面に略等間隔で植毛されたブラシ毛２、ケース１の先頭部３で構成され、先頭部３は回動軸４を中心に前方に開口できる。電気掃除機本体側と連通される継手部５は回動軸５１を中心に所望の角度に傾斜することができる。所定長さの仕切り板６は隙間用吸込具のケース内の中央部に長手方向に設けられる。これにより、吸引口からゴミを吸引すると、仕切り板６が吸引口に所定間隔をもって対面して配置されているので、仕切り板６が存在している場所では吸気は制限され、吸引口が分散されるので、仕切り板６が存在しないケースの先頭部の付近と、継手部５の付近の吸引口から、矢印のように、バイパス流路を通って十分な吸引力を得ることができる。【選択図】      図１
2008136582.tif 000002
【特許請求の範囲】
【請求項１】
略長方形に開放した吸込口部と、該吸込口部と連通し、電気掃除機本体側と連通される継手部とを有する吸込具において、該吸込具のケース内の中央部に長手方向に所定長さの仕切り板を設け、バイパス流路を形成することを特徴とする電気掃除機の隙間用吸込具。
【請求項２】
前記仕切り板からケース上面までの距離を、仕切り板から床面までの距離よりも大きくすることを特徴とする請求項１記載の電気掃除機の隙間用吸込具。
【請求項３】
前記仕切り板は長さ調整のためにスライド可能な構成としたことを特徴とする請求項１記載の電気掃除機の隙間用吸込具。
【請求項４】
前記仕切り板は中空とし、スライド板を挿入可能にしたことを特徴とする請求項３記載の電気掃除機の隙間用吸込具。
【発明の詳細な説明】
【技術分野】
【０００１】
本発明は電気掃除機の隙間用吸込具に関する。
【背景技術】
【０００２】
電気掃除機の使用において、タンスや棚のように高い場所や家具の隙間の掃除に有効な隙間用吸込具はアタッチメントとして種々提案されている。一般的には、タンスや棚のように高い場所には、隙間用ブラシを用い、家具の隙間の掃除には、隙間用ノズルが用いられる。隙間用ノズルは吸込口部を長方形状に形成すると共に、継手までの間を偏平にして隙間に入りやすくしたものである。
【０００３】
また、例えば幅広い高所や隙間の掃除を一気に行なう目的で、略長方形に開放した吸込口部と、この吸込口部と連通し、電気掃除機本体側と連通される継手部とを有し、この吸込口部の幅を継手部より小さくなすと共に、この吸込口部の開口面積が継手部の断面積と同等以上になるように長さを長く設定し、更に吸込面内の幅方向につなぎ部分を設けた電気掃除機用吸込具は公知である（例えば、特許文献１参照）。
【特許文献１】実開昭６２−１５９８３７号公報
【発明の開示】
【発明が解決しようとする課題】
【０００４】
従来の電気掃除機の隙間用吸込具（隙間用ノズル、隙間用ブラシ、棚用ブラシ等）は、細長い形状となっているものが多く、この形状のため、吸引部から離れた先端部では吸引力が落ちてしまうことがあり、特に吸込口が接地していない時には、全く吸引力がなくなってしまう欠点があった。そこで本発明は、先端部からも十分な吸引力が得られ、吸込口が接地していない時でも、先端部から吸引でき、隙間用吸込具内でのゴミの詰まりを防止できる電気掃除機の隙間用吸込具を提供することを目的とする。
【課題を解決するための手段】
【０００５】
上記課題を解決するために、本発明の請求項１に係る電気掃除機の隙間用吸込具は、略長方形に開放した吸込口部と、該吸込口部と連通し、電気掃除機本体側と連通される継手部とを有する吸込具において、該吸込具のケース内の中央部に長手方向に所定長さの仕切り板を設け、バイパス流路を形成する構成とした。
【０００６】
こうして、バイパス流路が形成された隙間用ブラシおいて、吸引口からゴミを吸引すると、仕切り板が吸引口に所定間隔をもって対面して配置されているので、仕切り板が存在している場所では吸気は制限され、吸引口が分散されるので、仕切り板が存在しないケースの先頭部の付近と、継手部の付近の吸引口からバイパス流路を通って十分な吸引力を得ることができる。また、隙間用ブラシの吸込口が床面に接地していないときでも、ブラシ先端部から吸引できる。
【０００７】
本発明の請求項２に係る電気掃除機の隙間用吸込具は、略長方形に開放した吸込口部と、該吸込口部と連通し、電気掃除機本体側と連通される継手部とを有する吸込具において、該吸込具のケース内の中央部に長手方向に所定長さの仕切り板を、仕切り板からケース上面までの距離を、仕切り板から床面までの距離よりも大きくして設け、バイパス流路を形成する構成とした。
【０００８】
こうして、隙間用ブラシ内でのゴミ詰まりを防止すると共に、継手部が所定角度傾斜しても、バイパス流路を通って十分な吸引力を得ることができる。
【０００９】
本発明の請求項３に係る電気掃除機の隙間用吸込具は、略長方形に開放した吸込口部と、該吸込口部と連通し、電気掃除機本体側と連通される継手部とを有する吸込具において、該吸込具のケース内の中央部に長手方向に所定長さの仕切り板を設け、仕切り板は長さ調整のためにスライド可能な構成とし、バイパス流路を形成する構成とした。
【００１０】
本発明の請求項４に係る電気掃除機の隙間用吸込具は、略長方形に開放した吸込口部と、該吸込口部と連通し、電気掃除機本体側と連通される継手部とを有する吸込具において、該吸込具のケース内の中央部に長手方向に所定長さの仕切り板を設け、仕切り板は長さ調整のためにスライド可能な構成とし、仕切り板は中空とし、スライド板を挿入可能にして、バイパス流路を形成する構成とした。
【００１１】
こうして、仕切り板の中空内に挿入可能に配置されたスライド板を引き出し、仕切り板を実質的に長くすることにより、仕切り板とスライド板が存在している場所では吸気は制限され、吸引口が分散されるので、仕切り板が存在しないケースの先頭部の付近の吸引口からバイパス流路を通って十分な吸引力を得ることができる。
【発明の効果】
【００１２】
以上のように本発明の電気掃除機の隙間用吸込具は、バイパス流路が形成された隙間用ブラシおいて、吸引口からゴミを吸引すると、仕切り板が吸引口に所定間隔をもって対面して配置されているので、吸引口が分散されるので、バイパス流路を通って十分な吸引力を得ることができる。また、隙間用ブラシの吸込口が床面に接地していないときでも、ブラシ先端部から吸引できる。また、仕切り板の中空内に挿入可能に配置されたスライド板を引き出し、仕切り板を実質的に長くすることができるので、仕切り板とスライド板が存在している場所では吸気は制限され、吸引口が分散されて、仕切り板が存在しないケースの先頭部の付近の吸引口からバイパス流路を通って十分な吸引力を得ることができる。
【発明を実施するための最良の形態】
【００１３】
以下に本発明の実施態様を図面に基づき説明する。図１は本発明の隙間用吸込具の第１の実施形態を示し、ここでは隙間用ブラシを例にしている。図１（Ａ）は本発明の隙間用吸込具の外観側面図、図１（Ｂ）は側面断面図である。図において、１は隙間用ブラシのケース、２は吸込口面に略等間隔で植毛されたブラシ毛である。３はケース１の先頭部であり、回動軸４を中心に前方に開口できる。
【００１４】
５は吸込口部と連通し、電気掃除機本体側と連通される継手部であり、回動軸５１を中心に所望の角度に傾斜することができる。図１（Ｂ）の側面断面図で、６は隙間用吸込具のケース内の中央部に長手方向に設けられた所定長さの仕切り板である。
【００１５】
このように、所定長さの仕切り板６が配置され、バイパス流路が形成された隙間用ブラシおいて、吸引口からゴミを吸引すると、仕切り板６が吸引口に所定間隔をもって対面して配置されているので、仕切り板６が存在している場所では吸気は制限され、吸引口が分散されるので、仕切り板６が存在しないケースの先頭部の付近と、継手部５の付近の吸引口から、矢印のように、バイパス流路を通って十分な吸引力を得ることができる。
【００１６】
また、隙間用ブラシの吸込口が床面に接地していないときでも、ブラシ先端部から吸引できる。そして、吸引された吸気は継手部５を介して掃除機本体に導入される。
【００１７】
次に、図２、図３に本発明の隙間用吸込具の第２の実施形態を示す。図２、図３で図１と同一物には同じ符号を付している。この実施形態では、仕切り板６からケース１の上面までの距離Ａを、仕切り板６から床面７までの距離Ｂよりも大きく設定する。
【００１８】
これにより、隙間用ブラシ内でのゴミ詰まりを防止すると共に、図３のように、継手部５が所定角度傾斜しても、バイパス流路を通って十分な吸引力を得ることができる。
【００１９】
次に、図４、図５に本発明の隙間用吸込具の第３の実施形態を示す。図４、図５で図１と同一物には同じ符号を付している。図４（Ａ）、（Ｂ）において、図１のものと相違する点は、隙間用吸込具のケース１内の中央部に長手方向に設けられた仕切り板６が長さ調整のためにスライド可能な構成とすることである。
【００２０】
この実施形態では、仕切り板６は中空とし、スライド板６１を挿入可能に配置している。そして、スライド板６１を操作するためのスライドボタン８がケース１の側面に配置されている。この例では、スライド板６１を仕切り板６の中空に挿入するタイプを紹介したが、スライド板６１を仕切り板６に重ねる状態とし、必要に応じてスライド板６１を引き出す構造にしてもよい。
【００２１】
図５には、仕切り板６のスライド板６１を操作する状態を示している。図５（Ａ）は本発明の隙間用吸込具（隙間用ブラシ）の外観側面図であり、ケース側面のスライドボタン８をスライドさせた状態である。
【００２２】
図５（Ｂ）に示すように、スライドボタン８をスライドさせることにより、仕切り板６の中空内に挿入可能に配置されたスライド板６１を引き出し、仕切り板６を実質的に長くすることにより、仕切り板６とスライド板６１が吸引口に所定間隔をもって対面して配置されているので、仕切り板６とスライド板６１が存在している場所では吸気は制限され、吸引口が分散されるので、仕切り板６が存在しないケースの先頭部の付近の吸引口から、矢印のように、バイパス流路を通って十分な吸引力を得ることができる。
【００２３】
従って、隙間用ブラシの吸入口が床面に接地していなくても、中央部の仕切り板６からのスライド板６１をスライドさせることより、先端部からの吸引力をアップさせることができる。
【００２４】
更に、仕切り板６とスライド板６１が存在している状態で、図５（Ｃ）のように、ケース１の先頭部３が回動軸４を中心にして回動して開放されても、矢印のように、先頭部３からバイパス流路を通って十分な吸引力を得ることができる。
【００２５】
通常、アタッチメントの隙間用ブラシ等では、そのブラシ部に埃が絡み付いてしまい、従来はこれらの埃は手で取り除いていたが、本発明者等はより簡単にそれらの埃を取り除くことを試みた。以下に、図６、図７を参照して説明する。
【００２６】
図６は隙間用ブラシの除塵機構を有する掃除機本体１０の一部断面の外観側面図である。吸気口１１に連結された吸引パイプ１３の一部に、分岐して隙間用ブラシを収納するケース１２を設け、その収納ケース１２に隙間用ブラシを収納する。収納後、収納ケース１２の接合部で流路切替弁１４により流路切り替えを行ない、収納ケース１２内部に吸引をかけ、隙間用ブラシのブラシ毛２に付いた埃を吸引する。また、吸引時にブラシ接地面を振動させることで、ブラシに絡みついた埃が離れやすくなる。
【００２７】
図７は隙間用ブラシの除塵機構を有する他の実施例であり、掃除機本体１０の一部断面の外観側面図である。図６と同様に、掃除機本体１０の吸気口１１に連結された吸引パイプ１３の一部に、分岐して吸引流路のある隙間用収納ケース１２を設け、収納ケース１２内の隙間用ブラシの接地面に隙間用ブラシの除塵用ブラシ１５を設ける。この除塵用ブラシ１５はキャピタル式に回転可能で、回転と共に除去した埃を収納ケース１２側で剥ぎ取ることで、常にきれいに保つことができる。
【図面の簡単な説明】
【００２８】
【図１】本発明の隙間用吸込具の第１の実施形態図。
【図２】本発明の隙間用吸込具の第２の実施形態図。
【図３】本発明の隙間用吸込具の第２の実施形態図。
【図４】本発明の隙間用吸込具の第３の実施形態図。
【図５】本発明の隙間用吸込具の第３の実施形態図。
【図６】隙間用ブラシの除塵機構を有する掃除機本体の外観側面図。
【図７】他の隙間用ブラシの除塵機構を有する掃除機本体の外観側面図。
【符号の説明】
【００２９】
１          隙間用ブラシのケース
２          ブラシ毛
３          ケースの先頭部
４          回動軸
５          継手部
５１        回動軸
６          仕切り板
６１        スライド板
７          床面
８          スライドボタン
１０        掃除機本体
１１        吸気口
１２        収納ケース
１３        吸引パイプ
１４        除塵用ブラシ
【図１】
2008136582.tif 000003
【図２】
2008136582.tif 000004
【図３】
2008136582.tif 000005
【図４】
2008136582.tif 000006
【図５】
2008136582.tif 000007
【図６】
2008136582.tif 000008
【図７】
2008136582.tif 000009